(57)【要約】【課題】誤った箇所に施工されないように、施工過程において施工位置を調整することができる床材を提供する。【解決手段】床材１は、床面に接する下板２０及び下板２０の上に積層される上板１０を含み、上板１０は、上板１０の下面と下板２０の上面とが段差を形成しながら接するように下板２０の上面に積層されている。また、上板１０の下面と下板２０の上面には、粘着剤３０が塗布されて粘着部１１、２１が形成されており、上板１０における粘着部１１の一部には、非粘着材１３が付着されることによって粘着剤３０が露出されない非粘着処理部が設けられている。【選択図】図３
2009062804.tif 000002
【特許請求の範囲】
【請求項１】
非粘着処理部を有する二重層構造の床材（１）であって、
前記床材（１）は床面に接する下板（２０）及び前記下板（２０）の上に積層される上板（１０）を含み、
前記上板（１０）の下面と前記下板（２０）の上面には粘着剤（３０）が塗布されて粘着部（１１、２１）が形成され、
前記上板（１０）は前記上板（１０）の下面と前記下板（２０）の上面とが段差を形成しながら接するように前記下板２０の上面に積層され、
前記上板（１０）における前記粘着部（１１）の一部には粘着剤（３０）が露出されない非粘着処理部が設けられていることを特徴とする、粘着部を有する床材。
【請求項２】
前記非粘着処理部は、前記床材（１）を構成する前記上板（１０）の前記粘着部（１１）の一方向にのみ形成されることを特徴とする、請求項１に記載の粘着部を有する床材。
【請求項３】
前記非粘着処理部は、前記上板（１０）における前記粘着部（１１）の上に前記粘着部（１１）の長手方向に沿って前記粘着剤（３０）を塗布しないことにより形成されることを特徴とする、請求項１に記載の粘着部を有する床材。
【請求項４】
前記粘着剤（３０）が塗布されていない前記非粘着処理部は、前記粘着部（１１）の長手方向に沿って断続的に形成されることを特徴とする、請求項３に記載の粘着部を有する床材。
【請求項５】
前記非粘着処理部は、前記上板（１０）の下面の前記粘着部（１１）と前記上板（１０）の側面とが出会う角部がＣ面（１４）に処理されてなることを特徴とする、請求項１に記載の粘着部を有する床材。
【請求項６】
前記Ｃ面（１４）は、前記上板（１０）の下面の前記粘着部（１１）と前記上板（１０）の側面とが出会う角部の上に断続的に形成されることを特徴とする、請求項５に記載の粘着部を有する床材。
【請求項７】
前記非粘着処理部は、前記上板（１０）における前記粘着部（１１）の上に非粘着材（１３）を付着することにより形成されることを特徴とする、請求項１に記載の粘着部を有する床材。
【請求項８】
前記非粘着材（１３）は、紙、織物または特殊シートであることを特徴とする、請求項７に記載の粘着部を有する床材。
【請求項９】
前記床材（１）を構成する前記上板（１０）は原木から製作されることを特徴とする、請求項１に記載の粘着部を有する床材。
【請求項１０】
前記下板（２０）における前記粘着部（２１）の一部には前記粘着剤（３０）が露出されない非粘着処理部が設けられていることを特徴とする、請求項１ないし９のいずれかに記載の粘着部を有する床材。
【請求項１１】
前記非粘着処理部は、前記下板（２０）における前記粘着部（２１）の一方向にのみ形成されることを特徴とする、請求項１０に記載の粘着部を有する床材。
【請求項１２】
前記非粘着処理部は、前記下板（２０）における前記粘着部（２１）の上に前記粘着部（２１）の長手方向に沿って前記粘着剤（３０）を塗布しないことにより形成されることを特徴とする、請求項１０に記載の粘着部を有する床材。
【請求項１３】
前記粘着剤（３０）が塗布されていない前記非粘着処理部は、前記粘着部（２１）の長手方向に沿って断続的に形成されることを特徴とする、請求項１２に記載の粘着部を有する床材。
【請求項１４】
前記非粘着処理部は、前記下板（２０）における前記粘着部（２１）の上に前記粘着部（２１）の長手方向に沿って溝（２２）が施工されることにより形成されることを特徴とする、請求項１０に記載の粘着部を有する床材。
【請求項１５】
前記溝（２２）は、前記粘着部（２１）の長手方向に沿って断続的に形成されることを特徴とする、請求項１４に記載の粘着部を有する床材。
【請求項１６】
前記非粘着処理部は、前記下板（２０）における前記粘着部（２１）の上に非粘着材（２３）を付着することにより形成されることを特徴とする、請求項１０に記載の粘着部を有する床材。
【請求項１７】
前記非粘着材（２３）は、紙、織物または特殊シートであることを特徴とする、請求項１６に記載の粘着部を有する床材。
【発明の詳細な説明】
【技術分野】
【０００１】
本発明は、粘着部を有する床材に係り、さらに詳しくは、上板と下板とからなる床材を連結するに当たって、粘着剤が塗布された粘着部の一部に非粘着処理部を形成することにより、床材を施工する過程において施工位置を調整できるようにした、粘着部を有する床材に関する。
【背景技術】
【０００２】
床面に付着されて擦り切れる表面を有する資材を床材と呼ぶ。建築物の屋内においてはタイルやセラミックよりも薄い板状の壯版紙（オンドルの床に貼る厚い油紙）やシートを床材として用いることが通常である。
【０００３】
従来に汎用されていた壯版紙は一定の幅を有し、長手方向に延びるように製作されて、建物における室内の床面面積に応じて壯版紙を切り取って施工していた。このとき、建物における屋内の床面の形状と壯版紙の幅とが一致しない場合、壯版紙の残留部分を切り取ったり、不足分だけ重ねたりして施工していた。
【０００４】
最近には、一定のサイズの凸状の床材を連結して屋内の床面を施工することがあるが、この場合には、屋内の床面構造の上面に粘着剤を塗布した後、ブロックで構成された床材を貼り付けて施工する。
【発明の開示】
【発明が解決しようとする課題】
【０００５】
本発明は、床材が誤った箇所に施工されないように、施工過程において床材の施工位置を調整可能な粘着部を有する床材を提供することを目的とする。
【０００６】
また、本発明は、床材の角部があらかじめ塗布された粘着剤に直接的に接触しないようにして、粘着剤が一方向に押し出される現象を防ぐことにより、隣り合う床面板と重ねられて施工される箇所に塗布された粘着剤が固まって、施工された後の床面板の上面に露出されないようにすることを目的とする。
【課題を解決するための手段】
【０００７】
本発明においては、上記の目的を達成するために、非粘着処理部を有する二重層構造の床材であって、前記床材は床面に接する下板及び前記下板の上に積層される上板を含み、前記上板の下面と前記下板の上面には粘着剤が塗布されて粘着部が形成され、前記上板は前記上板の下面と前記下板の上面とが段差を形成しながら接するように前記下板の上面に積層され、前記上板における前記粘着部の一部には粘着剤が露出されない非粘着処理部が設けられていることを特徴とする、粘着部を有する床材を提供する。
【０００８】
また、前記非粘着処理部は、前記床材を構成する前記上板の前記粘着部の一方向にのみ形成されることを特徴とする、粘着部を有する床材を提供する。
【０００９】
また、前記非粘着処理部は、前記上板における前記粘着部の上に前記粘着部の長手方向に沿って前記粘着剤を塗布しないことにより形成されることを特徴とする、粘着部を有する床材を提供する。
【００１０】
特に、前記粘着剤が塗布されていない前記非粘着処理部は、前記粘着部の長手方向に沿って断続的に形成されることを特徴とする、粘着部を有する床材を提供する。
【００１１】
また、前記非粘着処理部は、前記上板の下面の前記粘着部と前記上板の側面とが出会う角部がＣ面に処理されてなることを特徴とする、粘着部を有する床材を提供する。
【００１２】
特に、前記Ｃ面は、前記上板の下面の前記粘着部と前記上板の側面とが出会う角部の上に断続的に形成されることを特徴とする、粘着部を有する床材を提供する。
【００１３】
また、前記非粘着処理部は、前記上板における前記粘着部の上に非粘着材を付着することにより形成されることを特徴とする、粘着部を有する床材を提供する。
【００１４】
これらの他にも、前記非粘着材は、紙、織物または特殊シートであることを特徴とする、粘着部を有する床材を提供する。
【００１５】
さらに、本発明においては、前記床材を構成する前記上板は原木から製作されることを特徴とする、粘着部を有する床材を提供する。
【００１６】
また、本発明においては、前記下板における前記粘着部の一部には前記粘着剤が露出されない非粘着処理部が設けられていることを特徴とする、粘着部を有する床材を提供する。
【００１７】
また、前記非粘着処理部は、前記下板における前記粘着部の一方向にのみ形成されることを特徴とする、粘着部を有する床材を提供する。
【００１８】
これらの他にも、前記非粘着処理部は、前記下板における前記粘着部の上に前記粘着部の長手方向に沿って前記粘着剤を塗布しないことにより形成されることを特徴とする、粘着部を有する床材を提供する。
【００１９】
特に、前記粘着剤が塗布されていない前記非粘着処理部は、前記粘着部の長手方向に沿って断続的に形成されることを特徴とする、粘着部を有する床材を提供する。
【００２０】
また、前記非粘着処理部は、前記下板における前記粘着部の上に前記粘着部の長手方向に沿って溝が施工されることにより形成されることを特徴とする、粘着部を有する床材を提供する。
【００２１】
特に、前記溝は、前記粘着部の長手方向に沿って断続的に形成されることを特徴とする、粘着部を有する床材を提供する。
【００２２】
これらの他にも、前記非粘着処理部は、前記下板における前記粘着部の上に非粘着材を付着することにより形成されることを特徴とする、粘着部を有する床材を提供する。
【００２３】
特に、前記非粘着材は、紙、織物または特殊シートであることを特徴とする、粘着部を有する床材を提供する。
【発明の効果】
【００２４】
本発明は、以上に説明したように構成され、本発明の床材を用いると、誤った箇所に施工されないように、施工過程において施工位置を調整することができる。
【００２５】
また、本発明の床材を用いると、床材の角部の粘着剤が固まるような現象を防ぐことができ、床材同士の連結面を均一にでき、床材の施工過程において床材の施工位置を調整することができる。
【発明を実施するための最良の形態】
【００２６】
以下、添付図面に基づき、本発明による床材１の具体的な構成と効果について説明する。
【００２７】
図１には、本発明の一実施形態による床材１の連結構造を示す概略的な底面斜視図が示してある。同図に示すように、床材１は、互いに側面が接するように連結されて床面を形成するが、あらかじめ施工された床材１の側面に他の床材１の側面を合わせて固定する。このとき、同図に示すように、隣り合って連結される床材１を斜めに傾けて側面の位置を先に調整した後、床材１を固定施工することが好ましい。
【００２８】
図２及び図３には、それぞれ本発明の一実施形態による床材１を示す概略的な斜視図及び連結方法を示す側面図が示してある。図２に示すように、本発明の床材１は、上板１０と下板２０の二重構造からなり、上板１０が下板２０と段差を形成するように積層されている。上板１０の下面と下板２０の上面とが互いに重なり合わない部分、すなわち、段差により形成された粘着部１１、２１には、粘着剤３０が予め塗布されているが、同図に示すように、先に施工された床材１を構成する下板２０の粘着部２１に、隣り合って連結される他の床材１を構成する上板１０の粘着部１１が載せられて固定される方法により両床材１が粘着され、粘着部１１の一部には非粘着処理部が形成されている。
【００２９】
上板１０と下板２０に形成された粘着部１１、２１は、床材１とこれを形成する上板１０及び下板２０が四角形である場合、Ｌ字状に延びるが、Ｌ字をなす隣り合う両側面が各方向に同じ長さだけ延びるように、また、Ｌ字状の２辺の幅が同じになるように、上板１０を下板２０に積層することが好ましい。
【００３０】
図３に示すように、上板１０の下面と下板２０の上面には粘着剤３０が塗布され、粘着剤３０によって上板１０と下板２０とが固定されるが、隣り合って連結される床材１を構成する上板１０の粘着部１１が先に施工された床材１を構成する下板２０の粘着部２１に載置されて両床材１が連結される。連結される床材１を構成する上板１０の側面は、先に施工された床材１を構成する上板１０の側面に接するように斜めに載置され、上板１０における粘着部１１の一部には非粘着処理部が形成されて、床材１の施工位置を調整することができる。
【００３１】
このように、非粘着処理部を設けると、連結される床材１を構成する上板１０の粘着部１１と予め施工された床材１を構成する下板２０の粘着部２１とがくっついて両床材１の位置が固定されてしまうことを防ぐことができ、上板１０の粘着部１１と上板１０の側面とが出会う角部が予め施工された床材１の下板２０と出会う位置を調整して、正確な位置に床材１を施工することが可能になる。
【００３２】
具体的に、非粘着処理部は、粘着部１１上に一箇所またはそれ以上形成されてもよく、図２に示すように、一方向に連続して形成されてもよく、断続的に形成されてもよい。非粘着処理部が断続的に形成されるとしても、隣り合う床材１の粘着部１１、２１が完全に粘着されることを防ぐ効果があるため、床材１の施工位置を調整することができる。また、床材１を構成する上板１０における粘着部１１の上に形成される非粘着処理部の場合には、図２または図３に示すように、隣り合って連結される床材１の下板２０に直接的に接触する部分である粘着部１１の端部に形成されることが好ましい。
【００３３】
本発明においては、床材の粘着部の一部に形成された非粘着処理部を備えることにより、床材の施工過程において床材の施工位置を調整することができ、床材が誤った位置に固定されることを防ぐ効果がある。
【００３４】
一方、床材１を構成する上板１０の場合、原木を用いて床材１を製作すると、床材１の施工過程において床面との接着及び隣り合う床材１間の連結が困難であった従来の技術とは異なり、容易に原木の床材１の施工作業を終えることができるというメリットがある。
【００３５】
図４には、下板２０の上面に非粘着材２３が形成された床材１の斜視図が示してある。非粘着処理部は床材１を構成する上板１０だけではなく、下板２０に形成されることも可能であり、上板１０や下板２０のうちいずれか一方にのみ形成されても床材１の初期の施工時に、両床材１が完全に粘着されることを防ぐことはできるが、互いに接する上板１０と下板２０の粘着部１１、２１の両方に形成されればなお一層容易に床材１の位置を調整することができる。図４に示すように、非粘着処理部は隣り合って連結される床材１を構成する上板１０における粘着部１１と上板１０の側面とが出会う角部が直接的に接触する位置、すなわち、先に施工された床材１の上板１０と下板２０とが出会う部分に形成されることが好ましい。
【００３６】
図１から図４は、粘着部１１、２１の上に非粘着材１３、２３が付着されて非粘着処理部を形成した床材１を例示するものであって、非粘着材１３、２３は粘着材３０の塗布後に粘着部１１の上面に付着される。非粘着材１３、２３は紙や織物または特殊処理されたシートなど種々のものが使用可能であるが、粘着面の高さを合わせるために薄い部材を用いることが好ましい。
【００３７】
以上においては、非粘着処理部の一例として非粘着材１３、２３を例にとって説明したが、非粘着処理部は両床材１に塗布された粘着剤３０により最初に載置されたままで永久粘着されることを防ぐために形成するものであるため、粘着を防止可能な種々の形で処理することができる。
【００３８】
特に、床材１を構成する上板１０の下面と下板２０の上面とに粘着剤３０を塗布する過程において、一部面に粘着剤３０を塗布しないことにより、上記の如き効果を発揮することができる。粘着剤３０が塗布されていない部分は、粘着部１１、２１の長手方向に沿って連続的にまたは断続的に形成可能である。
【００３９】
図５及び図６には、本発明の他の実施形態であって、上板１０の粘着部１１と上板１０の側面とが出会う角部がＣ面（面取り）１４に処理された床材１の概略的な底面斜視図及び連結方法を示す側面図が示してある。同図に示すように、Ｃ面１４は、粘着剤３０の塗布前または塗布後に形成可能であり、Ｃ面１４には粘着剤３０が塗られていないか、あるいは、微量だけ塗られるため、隣り合う床材１の下板２０にＣ面１４が当たるとき、床材１を構成する上板１０の粘着部１１と先に施工された床材１を構成する下板２０の粘着部２１とが一回の接触により完全に粘着されることを防ぐという効果がある。このとき、非粘着処理部であるＣ面１４は、非粘着材１３、２３と同様に、上板１０における粘着部１１の一部にのみ形成されるため、隣り合う床材１との全体的な粘着力には影響しない。
【００４０】
また、上板１０における粘着部１１の端部は連結される床材１の下板２０における粘着部２１と直接的に当接することになるため、粘着部１１の端部の下面をＣ面１４に処理することにより、図６に示すように、両床材１の位置が調節されるとき、下板２０における粘着部２１上の粘着剤３０が押し出されないという効果がある。図３及び図６に示すように、隣り合う床材１を構成する上板１０の側面が先に設けられた床材１を構成する下板２０に載置されるとき、隣り合う床材１を構成する上板１０の側面と下面との間の角部が非粘着処理部により粘着部２１の上に塗布された粘着剤３０に直接的に当たらなくなるため、誤った初期施工により床材１の位置が永久固定されることを防ぐことができ、粘着剤３０が押し出されて施工粘着面に隙間ができるなどの問題も防ぐことができる。
【００４１】
また、本発明においては、床材の角部が粘着剤を押し出して、床材同士の連結面が不均一になるか、あるいは、連結される床材同士の空間に接着剤が充填されるという問題を防ぐことができる。
【００４２】
図７には、下板２０の上面に溝２２が形成されて非粘着処理部が構成された床材１を示す概略的な斜視図が示してある。溝２２は、粘着部１１の端部の下面に形成されたＣ面１４と同じ機能を有し、粘着部２１の一部に形成されて、隣り合って連結される両床材１間の完全付着を防ぐ。
【００４３】
図８及び図９には、床材１ａの形状を異ならせた本発明のさらに他の実施形態を示す概略的な底面斜視図が示してあるが、このように長尺の長方形の床材１ａの場合、図面に示すように、長手方向とこれに垂直な方向の両方に非粘着処理部を設けてもよく、長手方向にのみ非粘着処理部を設けてもよい。
【００４４】
このように、床材１の粘着部１１、２１の全体ではなく、床材１の一側面の上に形成された粘着部１１、２１にのみ非粘着処理部を形成する構成は、床材１が長方形ではなく、正方形である場合にも適用可能である。
【図面の簡単な説明】
【００４５】
【図１】本発明の一実施形態による床材の構造を示す概略的な底面斜視図である。
【図２】本発明の一実施形態による床材の構造を示す概略的な斜視図である。
【図３】本発明の一実施形態による床材の連結方法を示す側面図である。
【図４】下板の上面に非粘着材が形成された床材の斜視図である。
【図５】本発明の他の実施形態による床材の構造を示す概略的な底面斜視図である。
【図６】本発明の他の実施形態による床材の連結方法を示す側面図である。
【図７】下板の上面に溝が形成されて非粘着処理部が構成された床材を示す概略的な斜視図である。
【図８】床材の形状を異ならせた本発明の他の実施形態を示す概略的な底面斜視図である。
【図９】床材の形状を異ならせた本発明のさらに他の実施形態を示す概略的な底面斜視図である。
【符号の説明】
【００４６】
１、１ａ…  床材
１０…  上板
１１、２１…  粘着部
２２…  溝
１３、２３…  非粘着部
１４…  Ｃ面
２０…  下板
３０…  粘着剤
【図１】
2009062804.tif 000003
【図２】
2009062804.tif 000004
【図３】
2009062804.tif 000005
【図４】
2009062804.tif 000006
【図５】
2009062804.tif 000007
【図６】
2009062804.tif 000008
【図７】
2009062804.tif 000009
【図８】
2009062804.tif 000010
【図９】
2009062804.tif 000011